(57)【要約】【課題】プラントの見積やＰＲ段階で顧客の要求等を入力後、現地で機器Ｄ／Ｂから瞬時に最適配置計画を作成提示でき、そのまま機器発注を可能にする。【効果】まずデータ入力部２で顧客の要求や諸条件を入力し、プラント構成機器やその接続機器類の各メーカのデータベースに直結したプラント構成要素情報部３に、各機器類の最新情報が記憶されその情報が携帯端末器１へ提供される。プラント構成要素選出部４で上記諸条件による最適構成機器類が選出され、プラント構成要素配置案生成部５で最適配置案を生成する。物量・金額算出部６では見積配置における物量・金額の算出を行い、表示部７で最適プラント構成要素配置案と物量・金額を３次元モデルを用いて表示する。発注部８では受注の際、その見積に用いた機器類の情報から、各機器メーカに速やかに発注できる。【選択図】        図１
2004199340.tif 000002
【特許請求の範囲】
【請求項１】
プラントを構成するプラント構成機器類の性能、寸法、金額、納期およびメーカ名を含むデータを記憶したプラント構成要素データベースと、該プラント構成要素データベースに接続可能な携帯端末器とからなり、前記プラント構成要素データベースは、前記プラント構成機器類を製造する各メーカのデータベースと接続され、前記携帯端末器は、前記プラント構成要素データベースからプラント設計条件に適合するプラント構成機器類を選出するプラント構成要素選出部と、該プラント構成要素選出部で選出されたプラント構成機器類の配置案を生成するプラント構成要素配置案生成部と、該プラント構成要素配置案生成部で生成された配置案に採用されるプラント構成機器類の物量および金額を、前記データから算出する物量および金額算出部と、前記プラント構成要素配置案生成部で生成された配置案および、前記物量および金額算出部で算出されたプラントの物量および金額を表示する表示部とを備えていることを特徴とするプラント自動設計システム。
【請求項２】
請求項１に記載のプラント自動設計システムにおいて、前記プラント構成要素データベースに記憶される前記データは、前記各メーカにより常に最新の情報に更新されることを特徴とするプラント自動設計システム。
【請求項３】
請求項１〜２のうちいずれか１項に記載のプラント自動設計システムにおいて、前記携帯端末器は、前記物量および金額算出部で算出されたプラントの物量および金額に基づいて、前記メーカにプラント構成機器類を発注する発注部を有することを特徴とするプラント自動設計システム。
【請求項４】
請求項１〜３のうちいずれか１項に記載のプラント自動設計システムにおいて、前記携帯端末器の前記プラント構成要素配置案生成部で生成された配置案に基づいて、実施設計が進められることを特徴とするプラント自動設計システム。
【請求項５】
請求項１〜４のうちいずれか１項に記載のプラント自動設計システムにおいて、前記表示部は、前記プラントの配置案を３次元モデルで表示することを特徴とするプラント自動設計システム。
【発明の詳細な説明】
【０００１】
【発明の属する技術分野】
本発明はプラント自動設計システムに係り、特に、プラントの見積りやＰＲ段階で、現地で顧客の要求および諸条件を入力後、その場で例えば３次元モデルを用いて最適配置計画を作成提示して、そのまま機器類の発注が可能な自動設計システムに関する。
【０００２】
【従来の技術】
プラント建設の見積りやＰＲを行う際には、プラントを構成する機器とその接続機器類を条件により選定し、プラント構成機器とその接続機器類のレイアウトを、建設対象となる地形に合わせて設計し、見積る必要がある。また、プラントとして成立するためには、プラント構成機器やその接続機器類のそれぞれの特性を考慮し、かつ多くの制約条件や設計規則を満たさなければならない。
【０００３】
従来は、経験のあるレイアウト設計者が現地に出向き、諸条件を確認した後、設計執務場所に戻り、過去の設計実績、経験、設計規則等に基づき、人手もしくは３次元モデルなどによるレイアウト設計手法によりレイアウト設計が行われ、それに基づき見積り配置の作成が行われてきた。
【０００４】
そこで、上記のような３次元モデルによるレイアウト設計手法によるプラントレイアウト設計を支援するシステムとして、例えば、データベースに格納されたプラント機器および接続機器の３次元形状データを用いて、最適と考えられるレイアウト設計を自動で行い、３次元形状にて表示する例がある。（例えば、特許文献１参照）
【０００５】
【特許文献１】
特開平１０−１２４５６６号公報
【０００６】
【発明が解決しようとする課題】
ところが、上記従来技術のようにプラント構成機器とその接続機器類の性能、形状、価格、重量データ等を含む３次元モデルデータを、自社のデータベースを用いる場合、正確で効率的なプラントレイアウト設計をするためには、可能な限り多くのプラント構成機器とその接続機器類の３次元モデルデータを用意しておく必要があり、かつ３次元モデルデータの更新も頻繁に必要である。
【０００７】
上記３次元モデルデータの用意および更新が不完全なものであった場合、機器データが正確なものではないため、受注後の実施設計の際に、プラント構成機器類のデータやプラントレイアウトの再度の見直しを行う必要がある。
【０００８】
本発明は、上記事情に鑑みてなされたものであり、その目的とするところは、プラントの見積りやＰＲ段階で、現地で携帯端末に顧客の要求および諸条件を入力し、プラント構成機器とその接続機器類の最新情報に基づいて、その場で配置計画を作成して３次元モデルなどにより顧客に提示を行い、そのまま受注後の機器発注が可能なプラントレイアウトの自動設計システムを提供することである。
【０００９】
【課題を解決するための手段】
上記目的を達成するために、本発明のプラント自動設計システムは、プラントを構成するプラント構成機器類のメーカ名、性能、寸法、金額、納期を含むデータを記憶したプラント構成要素データベースと、該プラント構成要素データベースに接続可能な携帯端末器とからなり、前記プラント構成要素データベースは、前記プラント構成機器類を製造する各メーカのデータベースと接続され、前記携帯端末器は、前記プラント構成要素データベースからプラントの設計条件に適合するプラント構成機器類を選出するプラント構成要素選出部と、該プラント構成要素選出部で選出されたプラント構成機器類の配置案を生成するプラント構成要素配置案生成部と、該プラント構成要素配置案生成部で生成された配置案に採用されるプラント構成機器類の物量および金額を、前記データから算出する物量および金額算出部と、前記プラント構成要素配置案生成部で生成された配置案および、前記物量および金額算出部で算出されたプラントの物量および金額を表示する表示部とを備えていることを特徴とするものである。
【００１０】
本発明によれば、顧客へのプラントの受注活動やＰＲ活動において、携帯端末器を用いて、例えば顧客の面前で種々の顧客要求や制約条件を満たすようなプラント設計案を自動的に行い、３次元モデルを用いて配置案や、金額および物量などの見積を携帯端末器に表示し、受注後は速やかに機器発注や実施設計を進めることが可能となる。
【００１１】
【発明の実施の形態】
本発明の実施形態の概要は、顧客の面前でノート型パソコンなどの携帯端末器を使ってプラントレイアウトや見積りを作成表示し、受注後はそのまま機器類の発注や実施設計に移行できるようにすることである。
【００１２】
そのために、各メーカのデータベースに直結したプラント構成要素データベース（プラント構成要素情報部３）を備え、該Ｄ／Ｂ３に携帯端末器から接続可能とし、該Ｄ／Ｂ３には各メーカからプラント構成機器類の最新情報が常に提供されるようにした。また、携帯端末器には、最適構成機器類を選出するプラント構成要素選出部４と、その配置案を生成するプラント構成要素配置案生成部５と、機器類の見積を行う物量・金額算出部６と、配置案や見積もりを表示する表示部７とを設置した。
【００１３】
以下、本発明の実施の形態を図面に基づき詳細に説明する。図１は、本発明の一実施形態を示すブロック図、図２は、本実施形態の全体処理手順を示すフロー図、図３は、プラント構成要素データベース（以下、プラント構成要素情報部、あるいは単にＤ／Ｂともいう）に記憶される、各機器メーカにおけるプラント構成機器とその接続機器類のデータベース情報の一例およびそのシステムを示す図である。ここで、各機器メーカにおけるプラント構成機器とその接続機器類とは、プラントを構成する機器、配管、ケーブル、鉄骨等を示す。
【００１４】
本発明においては、プラントの建設を計画している顧客のもとへ、携帯端末器１を持ち込み、データ入力部２で顧客の要求や諸条件などの設計条件の入力を行う。プラント構成情報部３では、各機器メーカにおけるプラント構成機器とその接続機器類の情報がデータベースとして記憶されており、それらの情報を携帯端末器１へ提供している。
【００１５】
プラント構成要素選出部４では、上記データ入力部２で得られた設計条件、すなわち顧客の要求や諸条件と、上記プラント構成情報部３から提供されるプラント構成機器および接続機器類の情報から、その条件における最適なプラント構成機器の選出を行っている。
【００１６】
プラント構成要素配置案生成部５では、上記データ入力部２で得られた顧客の要求および諸条件と、上記プラント構成要素選出部４で選出された、その設計条件における最適なプラント構成機器から、その設計条件における最適なプラント構成要素配置案の生成を行っている。
【００１７】
物量・金額算出部６では、上記プラント構成情報部３から提供されるプラント構成機器およびその接続機器類の情報と、上記プラント構成要素選出部４で選出されたその条件における最適なプラント構成機器と、上記プラント構成要素配置案生成部５から生成されたプラント構成要素配置案から、その見積り配置における物量・金額の算出を行っている。
【００１８】
表示部７では、上記プラント構成要素配置案生成部５から生成された最適なプラント構成要素配置案が３次元モデルを用いて表示され、また、上記物量・金額算出部６で算出されたその見積り配置における物量・金額も併せて表示される。
【００１９】
発注部８では、上記表示部７で表示したプラント構成要素配置案および物量・金額で顧客より受注が取れた場合、その見積りに用いたプラント構成機器およびその接続機器類の情報から、各機器メーカに速やかに発注を行う。
【００２０】
続いて、図２の本実施形態の全体処理手順を示す処理フローの各ステップ（Ｓ）に従って、上記各部の動作についてさらに詳しく説明する。初めにデータ入力部２へ顧客要求および諸条件等の入力（Ｓ１１）を行う。このとき入力される顧客要求や諸条件は、プラント出力、敷地面積、使用燃料、環境規制、適用規格等に関するデータである。
【００２１】
次に、プラント構成要素情報部３から、各機器メーカにおけるプラント構成機器とその接続機器類の情報が提供されるが、このプラント構成要素情報部（Ｄ／Ｂ）３に記憶されているプラント構成機器とその接続機器類の情報は、各機器、配管、ケーブル等の各メーカより提供される、プラント機器、配管、ケーブル等の性能、適合規格、寸法、金額、納期、発注コードなどの情報からなっている。
【００２２】
また、それらの情報は随時更新され、常に最新で精度の高いデータベースとなっている。プラント構成要素選出部４は、このプラント構成要素情報部３から提供される、各メーカにおけるプラント構成機器やその接続機器類の中から、顧客要求および諸条件に適切な採用機器要素の選出（Ｓ１２）を行う。
【００２３】
次に、プラント構成要素配置案生成部５で配置案の作成（Ｓ１３）を行うが、プラント構成要素配置案生成部５は各プラント機器の論理的接続関係、過去の配置設計実績等を考慮した配置ロジックを用いて、顧客要求および諸条件に適切なプラント構成機器とその接続機器類の配置を行う。
【００２４】
続いて、物量・金額の算出および３次元配置図の作成（Ｓ１４）を行うが、このときのデータは、上記プラント構成要素情報部３の機器データベースから用いるため、物量・金額および３次元配置は、受注後の実施設計における上記物量・金額および３次元配置とほぼ同じ値および配置が期待できる。
【００２５】
この実施設計との差異が小さい見積り金額および３次元配置図の表示（Ｓ１５）により、顧客側ではより具体的なプラント計画の見積りを行うことが可能であり、表示した見積り金額および３次配置図の採用（Ｓ１６）を検討する。
【００２６】
また、この段階で表示した見積り金額および３次配置図の採用（Ｓ１６）に問題がある場合は、顧客要求や諸条件等入力（Ｓ１１）に戻り、条件を追加することにより、より希望に見合ったプラント設計を行うことが可能である。
【００２７】
次に、上記表示した見積り金額および３次配置図で受注（Ｓ１７）が決定した場合、上記表示した見積り金額および３次配置図で使用した機器のデータは、上記プラント構成要素情報部３の機器データベースからそのまま用いているため、再び実施設計をし直すことなく、そのまま各機器とその接続機器類を各機器メーカに発注（Ｓ１８）することができる。そのため、業務の効率化、納期の短縮化、見積り設計と実施設計での差異低減化が可能となる。
【００２８】
次に、図３によりプラント構成要素情報部に記憶される、各機器メーカにおけるプラント構成機器やその接続機器類のデータベース情報の一例およびそのシステムを詳しく説明する。本実施形態のプラント構成要素情報部（Ｄ／Ｂ）３は、プラントを構成する機器や、配管、ケーブルなどの各メーカのデータベースと直結させている。
【００２９】
したがって、このプラント構成要素情報部（Ｄ／Ｂ）３に記憶されているプラント構成機器とその接続機器類の情報は、各機器、配管、ケーブル等の各メーカより提供される、プラント機器、配管、ケーブル等の性能、適合規格、寸法、金額、納期、発注コードといった情報を有している。このデータベースは常に最新で精度が高いものである必要があり、プラント構成機器とその接続機器類の情報は、変更が生じるたびに各機器メーカにより随時更新される。
【００３０】
また、上記プラント構成要素情報部３に記憶されている各機器メーカのプラント構成機器とその接続機器類の情報は、各機器メーカへと公開されているため、競争原理が働き、より安価で性能の良いプラント構成機器とその接続機器類の情報を得ることができる。
【００３１】
以上説明したように、本発明の実施形態によれば、顧客の要求や諸条件の入力を行うデータ入力部、必要な条件を満たす各機器を機器データベースであるプラント構成情報部から選定するプラント構成要素選出部、各機器の最適配置を行うプラント構成要素配置案生成部、機器データおよび配置データから金額および物量を算出する物量・金額算出部を有するので、携帯端末器の表示部に、３次元モデルでの見積り配置図、金額、および物量を自動で表示することができる。
【００３２】
また、上記プラント見積り物量・金額算出部から算出されたプラント物量と、上記プラント構成要素情報部からのプラント構成要素情報から発注を行うプラント構成要素発注部を有するので、受注後、正確かつ速やかに発注を行うことができる。また、各機器メーカにおけるプラントを構成する機器とその接続機器類情報がデータベースとして記憶され、かつ常に各機器メーカにより最新の情報に更新されるプラント構成要素情報部を有するため、精度の高い見積り設計と速やかな発注を行うことができる
【００３３】
また、受注後、実施設計を行う場合、見積りで使用したプラントを構成するプラント機器とその接続機器類情報を用いて、再検討の必要無しにそのまま機器発注を行うことが可能となるため、納期の短縮化および見積り設計と実施設計での差異低減化を図ることができる。
【００３４】
また、受注後、実施設計を行う場合、見積りで使用したプラントを構成するプラント機器とその接続機器類情報およびレイアウト対象空間上への各機器の配置情報を用いて、機器配置における実施設計を進めることができるため、実施設計に要する時間の短縮化を図ることができる。
【００３５】
【発明の効果】
上述のとおり本発明によれば、プラントの見積りやＰＲ段階で、現地で携帯端末に顧客の要求および諸条件を入力し、プラント構成機器とその接続機器類の最新情報に基づいて、その場で配置計画を作成して３次元モデルなどにより顧客に提示を行い、そのまま受注後の機器発注が可能となる。
【図面の簡単な説明】
【図１】本発明の一実施形態に係るプラント自動設計システムを示すブロック図。
【図２】本発明の一実施形態に係るプラント自動設計システムの全体処理手順を示すフロー図。
【図３】プラント構成要素情報部に記憶される、各機器メーカにおけるプラント構成機器とその接続機器類のデータベース情報の一例およびそのシステムを示す図。
【符号の説明】
１  携帯端末器
２  データ入力部
３  プラント構成要素情報部
４  プラント構成要素選出部
５  プラント構成要素配置案生成部
６  物量・金額算出部
７  表示部
８  発注部
【図１】
2004199340.tif 000003
【図２】
2004199340.tif 000004
【図３】
2004199340.tif 000005